(57)【要約】【課題】ＷＤＭ方式の光ファイバリング網上の波長において、必要な区間のみにデータを流し、より効率的に波長帯域を利用することが可能な光ネットワークシステムを提供する。【解決手段】１つの波長λ１において、データ転送用の複数のパスＡ〜Ｄを設定することにより、当該波長λ１を共有して使用するようにする。この場合、パスはリング網中で通信を行うノード区間内でのみ設定され、通信を行わない区間では設定されない。例えば、パスＡはノード１と２との間、パスＢはノード１と３との間、パスＣはノード２と４との間、というように設定される。よって、他の区間にも他のパスが設定可能であり、波長λ１の帯域が有効に利用できる。【選択図】　　　図２
2004104543.tif 000002
【特許請求の範囲】
【請求項１】
波長多重された光信号を伝送する光ファイバリング網と、この光ファイバリング網に接続されて前記光信号のアドドロップをなす複数のノード装置とを含む光ネットワークシステムであって、
前記光ファイバリング網内の１の波長を信号伝送用の複数パスに共用して割当てるようにしたことを特徴とする光ネットワークシステム。
【請求項２】
前記波長を信号伝送用に使用できる波長区間が予め所定のノード装置間に設定されており、前記パスはこの波長区間内の任意のノード装置間において設定されていることを特徴とする請求項１記載の光ネットワークシステム。
【請求項３】
前記パスを通るデータに対して、このパスを特定するためのパスラベル情報が付与されており、前記波長区間内のノード装置は、このパスラベル情報に従って前記光信号の終端及び中継制御をなす制御手段を有することを特徴とする請求項２記載の光ネットワークシステム。
【請求項４】
前記波長区間内のノード装置は、前記光ファイバリング網からの前記波長の光信号を分波してこの分波出力を電気信号に変換する分波手段と、前記光ファイバリング網へ送信すべき電気信号を前記波長信号に変換して合波する合波手段とを、更に有しており、
前記制御手段は、前記分波手段からの電気信号の前記パスラベル情報に従って前記信号の終端及び中継制御を行い、中継制御の場合には、前記電気信号を前記合波手段へ供給するようにしたことを特徴とする請求項３記載の光ネットワークシステム。
【請求項５】
前記制御手段は、前記パスラベル情報と宛先との対応を示す対応表を有し、前記パスラベル情報によりこの対応表を検索して検索結果に応じて前記終端及び中継制御をなすようにしたことを特徴とする請求項４記載の光ネットワークシステム。
【請求項６】
前記波長を第一の波長としたとき、前記ノード装置は、前記波長とは異なる第二の波長に対応する第二の波長区間内にも存在しており、この第二の波長に対応する第二の分波手段及び第二の合波手段を、更に有しており、
前記対応表は、前記パスラベル情報と波長との対応をも示すよう構成されており、
前記制御手段は、前記中継制御の場合には、前記パスラベル情報により前記対応表を検索して得られる波長が前記第二の波長のときに、この第二の波長に対応する前記第二の合波手段へ、前記電気信号を供給するようにしたことを特徴とする請求項５記載の光ネットワークシステム。
【請求項７】
前記ノード装置は、配下からの電気信号に対して、その宛先に応じて前記パスラベル情報を付与するラベル付与手段を、更に有することを特徴とする請求項６記載の光ネットワークシステム。
【請求項８】
前記ノード装置は、前記ラベル付与手段により付与されたラベル情報に従って前記第一及び第二の波長に対応する合波手段へ選択的に前記配下からの電気信号を供給する手段を、更に有することを特徴とする請求項７記載の光ネットワークシステム。
【請求項９】
波長多重された光信号を伝送する光ファイバリング網と、この光ファイバリング網に接続されて前記光信号のアドドロップをなす複数のノード装置とを含む光ネットワークシステムにおける伝送制御方法であって、
前記光ファイバリング網内の１の波長を信号伝送用の複数パスに共用して割当て制御するパス制御ステップを含むことを特徴とする伝送制御方法。
【請求項１０】
前記波長を信号伝送用に使用できる波長区間が予め所定のノード装置間に設定されており、前記パスはこの波長区間内の任意のノード装置間において設定されていることを特徴とする請求項９記載の伝送制御方法。
【請求項１１】
前記パスを通るデータに対して、このパスを特定するためのパスラベル情報が付与されており、
前記パス制御ステップは、
前記波長区間内のノード装置において、このパスラベル情報に従って前記光信号の終端及び中継制御をなす終端中継制御ステップを有することを特徴とする請求項１０記載の伝送制御方法。
【請求項１２】
前記パス制御ステップは、
前記波長区間内のノード装置において、前記光ファイバリング網からの前記波長の光信号を分波器により分波してこの分波出力を電気信号に変換する分波ステップと、前記光ファイバリング網へ送信すべき電気信号を合波器により前記波長信号に変換して合波する合波ステップとを有しており、
前記終端中継制御ステップは、前記分波ステップからの電気信号の前記パスラベル情報に従って前記信号の終端及び中継制御を行い、中継制御の場合には、前記電気信号を前記合波ステップへ供給するようにしたことを特徴とする請求項１１記載の伝送制御方法。
【請求項１３】
前記終端中継制御ステップは、前記パスラベル情報と宛先との対応を示す対応表を前記パスラベル情報により検索して、検索結果に応じて前記終端及び中継制御をなすようにしたことを特徴とする請求項１２記載の伝送制御方法。
【請求項１４】
前記波長を第一の波長としたとき、前記ノード装置が前記波長とは異なる第二の波長に対応する第二の波長区間内にも存在しており、
前記パス制御ステップは、
前記ノード装置において、前記第二の波長に対応する第二の分波ステップ及び第二の合波ステップを、更に有しており、
前記対応表は、前記パスラベル情報と波長との対応をも示すよう構成されており、
前記終端中継制御ステップは、前記中継制御の場合には、前記パスラベル情報により前記対応表を検索して得られる波長が前記第二の波長のときに、この第二の波長に対応する前記第二の合波ステップへ、前記電気信号を供給するようにしたことを特徴とする請求項１３記載の伝送制御方法。
【請求項１５】
前記パス制御ステップは、
前記ノード装置において、その配下からの電気信号に対して、その宛先に応じて前記パスラベル情報を付与するラベル付与ステップを、更に有することを特徴とする請求項１４記載の伝送制御方法。
【請求項１６】
前記パス制御ステップは、
前記ノード装置において、前記ラベル付与ステップにより付与されたラベル情報に従って前記第一及び第二の波長に対応する合波ステップへ選択的に前記配下からの電気信号を供給するステップを、更に有することを特徴とする請求項１５記載の伝送制御方法。
【請求項１７】
波長多重された光信号を伝送する光ファイバリング網と、この光ファイバリング網に接続されて前記光信号のアドドロップをなす複数のノード装置とを含み、前記光ファイバリング網内の１の波長が信号伝送用の複数パスに共用して割当てられ、かつ前記波長を信号伝送用に使用できる波長区間が予め所定のノード装置間に設定されており、前記パスはこの波長区間内の任意のノード装置間において設定されてなる光ネットワークシステムにおいて、前記波長区間内に存在するノード装置であって、
前記パスを通るデータに対して予め付与されてこのパスを特定するためのパスラベル情報に従って、前記光信号の終端及び中継制御をなす制御手段を有することを特徴とするノード装置。
【請求項１８】
前記光ファイバリング網からの前記波長の光信号を分波してこの分波出力を電気信号に変換する分波手段と、前記光ファイバリング網へ送信すべき電気信号を前記波長信号に変換して合波する合波手段とを、更に有しており、
前記制御手段は、前記分波手段からの電気信号の前記パスラベル情報に従って前記信号の終端及び中継制御を行い、中継制御の場合には、前記電気信号を前記合波手段へ供給するようにしたことを特徴とする請求項１７記載ノード装置。
【請求項１９】
前記制御手段は、前記パスラベル情報と宛先との対応を示す対応表を有し、前記パスラベル情報によりこの対応表を検索して検索結果に応じて前記終端及び中継制御をなすようにしたことを特徴とする請求項１８記載のノード装置。
【請求項２０】
前記波長を第一の波長としたとき、前記波長とは異なる第二の波長に対応する第二の波長区間内にも存在しており、この第二の波長に対応する第二の分波手段及び第二の合波手段を、更に含み、
前記対応表は、前記パスラベル情報と波長との対応をも示すよう構成されており、
前記制御手段は、前記中継制御の場合には、前記パスラベル情報により前記対応表を検索して得られる波長が前記第二の波長のときに、この第二の波長に対応する前記第二の合波手段へ、前記電気信号を供給するようにしたことを特徴とする請求項１９記載のノード装置。
【請求項２１】
配下からの電気信号に対して、その宛先に応じて前記パスラベル情報を付与するラベル付与手段を、更に含むことを特徴とする請求項２０記載のノード装置。
【請求項２２】
前記ラベル付与手段により付与されたラベル情報に従って前記第一及び第二の波長に対応する合波手段へ選択的に前記配下からの電気信号を供給する手段を、更に含むことを特徴とする請求項２１記載のノード装置。
【発明の詳細な説明】
【０００１】
【発明の属する技術分野】
本発明は光ネットワークシステム及びその伝送制御方法並びにそれに用いるノード装置に関し、特に波長多重（ＷＤＭ：Ｗａｖｅｌｅｎｇｔｈ　Ｄｉｖｉｓｉｏｎ　Ｍｕｌｔｉｐｌｅｘｉｎｇ）された光信号を伝送する光ファイバリング網とこの光ファイバリング網に接続されて光信号のアドドロップをなす複数のノード装置とを含む光ネットワークシステムにおける伝送制御方式に関するものである。
【０００２】
【従来の技術】
１本の光ファイバに、複数の波長を多重して光ファイバを共有するＷＤＭ方式を用いて光ファイバリング網を構成する場合、当該リング上には、光ＡＤＭ（Ｏｐｔｉｃａｌ　Ａｄｄ　Ｄｒｏｐ　Ｍｕｌｔｉｐｌｅｘｅｒ：以下ＯＡＤＭ）と呼ばれる装置が接続される。このＯＡＤＭ（ノード装置とも称される）はローカルネットワークからのデータを波長としてリングに挿入し、また、リング中の波長群から自分宛てのデータをドロップしてローカルネットワークへ転送するものである。
【０００３】
波長は２台のＯＡＤＭ間に設定される。一方、ＩＰ（Ｉｎｔｅｒｎｅｔ　Ｐｒｏｔｏｃｏｌ　）プロトコルを使用するインターネットのトラヒックは、一般的にバーストトラヒックであることが多いと言われている。このようなトラヒックを波長の上に流した場合、トラヒック量が一定でないために無駄が多くなる。
【０００４】
このようなバーストトラヒックを効率的に波長に流すために、ひとつの波長を複数のノード装置で共有する方式の例がある（例えば、特許文献１参照）。この例によれば、宛先ノードをグループ分けして、各グループ毎に固有の波長を割当て、送信帯域を共有する構成とするというものである。
【０００５】
例えば、図１１に示すように、複数のノード５０３〜５０５が光ファイバリング網を構成する光ファイバ５００に接続されており、この光ファイバ５００では、波長λ１〜λｎの複数の波長多重がなされているものとする。データ送信元のノード５０３が、例えば、波長λ１の中に複数の宛て先行きのデータを、挿入部５０２により挿入して送信する。光ファイバリング網上の各ノードは、光ファイバ５００上の波長群の中から、それぞれ予め決められた波長をドロップする。
【０００６】
ここで、ノードに入力された波長群は、ドロップされた波長も含めて光ファイバリング網上の次のノードに送られる。ノードは、ドロップした波長（光信号）を電気変換する。波長中には他ノード行きのデータも波長共有により含まれているため、電気変換後に電気アドレスフィルタにより自ノード宛てのデータのみを選択して受信する。
【０００７】
このような動作が、光ファイバリング網上の各ノードで実施されて、最終的に、送信波長を送信したノード５０３へ光信号が光ファイバリング５００を１周して戻ってくるが、該当する送信波長を送信したノードは、この波長を終端部５０１により終端する。よって、同一のデータがリングを２周することはない。
【０００８】
【特許文献１】
特開２００１−１６８８４２号公報（４頁、図１）
【０００９】
【発明が解決しようとする課題】
この特許文献１に開示の方式では、単一の波長は複数の宛て先ノードで共有されるが、送信ノードから送信された波長データ自身は、光ファイバリング網上で変化することなく１周して、送信元ノードに収容されて終端される。よって、送信ノードから送信された波長上の特定データの宛て先が、リング上で送信ノードに隣接するノードであり（例えば、図１１のノード５０３から送信される、ノード５０４のみが必要なデータ）後段のノードには不要なデータであっても、該当データはリング上を１周してしまうという問題がある。
【００１０】
本発明の目的は、光ファイバリング網上の波長において、必要な区間のみにデータを流し、より効率的に波長帯域を利用することが可能な光ネットワークシステム及びその伝送制御方法並びにそれに用いるノード装置を提供することである。
【００１１】
【課題を解決するための手段】
本発明による光ネットワークシステムは、波長多重された光信号を伝送する光ファイバリング網と、この光ファイバリング網に接続されて前記光信号のアドドロップをなす複数のノード装置とを含む光ネットワークシステムであって、前記光ファイバリング網内の１の波長を信号伝送用の複数パスに共用して割当てるようにしたことを特徴とする。
【００１２】
そして、前記波長を信号伝送用に使用できる波長区間が予め所定のノード装置間に設定されており、前記パスはこの波長区間内の任意のノード装置間において設定されていることを特徴とする。また、前記パスを通るデータに対して、このパスを特定するためのパスラベル情報が付与されており、前記波長区間内のノード装置は、このパスラベル情報に従って前記光信号の終端及び中継制御をなす制御手段を有することを特徴とする。
【００１３】
また、前記波長区間内のノード装置は、前記光ファイバリング網からの前記波長の光信号を分波してこの分波出力を電気信号に変換する分波手段と、前記光ファイバリング網へ送信すべき電気信号を前記波長信号に変換して合波する合波手段とを、更に有しており、前記制御手段は、前記分波手段からの電気信号の前記パスラベル情報に従って前記信号の終端及び中継制御を行い、中継制御の場合には、前記電気信号を前記合波手段へ供給するようにしたことを特徴とする。そして、前記制御手段は、前記パスラベル情報と宛先との対応を示す対応表を有し、前記パスラベル情報によりこの対応表を検索して検索結果に応じて前記終端及び中継制御をなすようにしたことを特徴とする。
【００１４】
また、前記波長を第一の波長としたとき、前記ノード装置は、前記波長とは異なる第二の波長に対応する第二の波長区間内にも存在しており、この第二の波長に対応する第二の分波手段及び第二の合波手段を、更に有しており、前記対応表は、前記パスラベル情報と波長との対応をも示すよう構成されており、前記制御手段は、前記中継制御の場合には、前記パスラベル情報により前記対応表を検索して得られる波長が前記第二の波長のときに、この第二の波長に対応する前記第二の合波手段へ、前記電気信号を供給するようにしたことを特徴とする。
【００１５】
また、前記ノード装置は、配下からの電気信号に対して、その宛先に応じて前記パスラベル情報を付与するラベル付与手段を、更に有することを特徴とする。また、前記ノード装置は、前記ラベル付与手段により付与されたラベル情報に従って前記第一及び第二の波長に対応する合波手段へ選択的に前記配下からの電気信号を供給する手段を、更に有することを特徴とする。
【００１６】
本発明による伝送制御方法は、波長多重された光信号を伝送する光ファイバリング網と、この光ファイバリング網に接続されて前記光信号のアドドロップをなす複数のノード装置とを含む光ネットワークシステムにおける伝送制御方法であって、前記光ファイバリング網内の１の波長を信号伝送用の複数パスに共用して割当て制御するパス制御ステップを含むことを特徴とする。
【００１７】
そして、前記波長を信号伝送用に使用できる波長区間が予め所定のノード装置間に設定されており、前記パスはこの波長区間内の任意のノード装置間において設定されていることを特徴とし、また前記パスを通るデータに対して、このパスを特定するためのパスラベル情報が付与されており、前記パス制御ステップは、前記波長区間内のノード装置において、このパスラベル情報に従って前記光信号の終端及び中継制御をなす終端中継制御ステップを有することを特徴とする。
【００１８】
また、前記パス制御ステップは、前記波長区間内のノード装置において、前記光ファイバリング網からの前記波長の光信号を分波器により分波してこの分波出力を電気信号に変換する分波ステップと、前記光ファイバリング網へ送信すべき電気信号を合波器により前記波長信号に変換して合波する合波ステップとを有しており、前記終端中継制御ステップは、前記分波ステップからの電気信号の前記パスラベル情報に従って前記信号の終端及び中継制御を行い、中継制御の場合には、前記電気信号を前記合波ステップへ供給するようにしたことを特徴とする。また、前記終端中継制御ステップは、前記パスラベル情報と宛先との対応を示す対応表を前記パスラベル情報により検索して、検索結果に応じて前記終端及び中継制御をなすようにしたことを特徴とする。
【００１９】
そして、前記波長を第一の波長としたとき、前記ノード装置が前記波長とは異なる第二の波長に対応する第二の波長区間内にも存在しており、前記パス制御ステップは、前記ノード装置において、前記第二の波長に対応する第二の分波ステップ及び第二の合波ステップを、更に有しており、前記対応表は、前記パスラベル情報と波長との対応をも示すよう構成されており、前記終端中継制御ステップは、前記中継制御の場合には、前記パスラベル情報により前記対応表を検索して得られる波長が前記第二の波長のときに、この第二の波長に対応する前記第二の合波ステップへ、前記電気信号を供給するようにしたことを特徴とする。
【００２０】
また、前記パス制御ステップは、前記ノード装置において、その配下からの電気信号に対して、その宛先に応じて前記パスラベル情報を付与するラベル付与ステップを、更に有することを特徴とする。また、前記パス制御ステップは、前記ノード装置において、前記ラベル付与ステップにより付与されたラベル情報に従って前記第一及び第二の波長に対応する合波ステップへ選択的に前記配下からの電気信号を供給するステップを、更に有することを特徴とする。
【００２１】
本発明によるノード装置は、波長多重された光信号を伝送する光ファイバリング網と、この光ファイバリング網に接続されて前記光信号のアドドロップをなす複数のノード装置とを含み、前記光ファイバリング網内の１の波長が信号伝送用の複数パスに共用して割当てられ、かつ前記波長を信号伝送用に使用できる波長区間が予め所定のノード装置間に設定されており、前記パスはこの波長区間内の任意のノード装置間において設定されてなる光ネットワークシステムにおいて、前記波長区間内に存在するノード装置であって、前記パスを通るデータに対して予め付与されてこのパスを特定するためのパスラベル情報に従って、前記光信号の終端及び中継制御をなす制御手段を有することを特徴とする。
【００２２】
そして、前記光ファイバリング網からの前記波長の光信号を分波してこの分波出力を電気信号に変換する分波手段と、前記光ファイバリング網へ送信すべき電気信号を前記波長信号に変換して合波する合波手段とを、更に有しており、前記制御手段は、前記分波手段からの電気信号の前記パスラベル情報に従って前記信号の終端及び中継制御を行い、中継制御の場合には、前記電気信号を前記合波手段へ供給するようにしたことを特徴とする。また、前記制御手段は、前記パスラベル情報と宛先との対応を示す対応表を有し、前記パスラベル情報によりこの対応表を検索して検索結果に応じて前記終端及び中継制御をなすようにしたことを特徴とする。
【００２３】
そして、前記波長を第一の波長としたとき、前記波長とは異なる第二の波長に対応する第二の波長区間内にも存在しており、この第二の波長に対応する第二の分波手段及び第二の合波手段を、更に含み、前記対応表は、前記パスラベル情報と波長との対応をも示すよう構成されており、前記制御手段は、前記中継制御の場合には、前記パスラベル情報により前記対応表を検索して得られる波長が前記第二の波長のときに、この第二の波長に対応する前記第二の合波手段へ、前記電気信号を供給するようにしたことを特徴とする。また、配下からの電気信号に対して、その宛先に応じて前記パスラベル情報を付与するラベル付与手段を、更に含むことを特徴とする。また、前記ラベル付与手段により付与されたラベル情報に従って前記第一及び第二の波長に対応する合波手段へ選択的に前記配下からの電気信号を供給する手段を、更に含むことを特徴とする。
【００２４】
本発明の作用を述べる。ＷＤＭ方式の光リングファイバ網上の波長において、必要な区間のみにデータを流し、より効率的に波長帯域を利用するものである。すなわち、１つの波長において、複数の信号伝送用パスを設定してこの波長を共有して使用する。この場合、パスはリング網中において通信を行うノード区間内でのみ設定され、通信を行わない区間では、設定されない。従ってリング網全体に亘って１つの波長が複数の区間のパスとして用いられ、極めて効率的に波長帯域が利用できることになる。
【００２５】
【発明の実施の形態】
以下に、図面を用いて本発明の実施例について、詳述する。図１は本発明の実施例が適用される光ネットワークシステムの概略システム構成図である。図１を参照すると、複数のノード装置（以下単にノードと称す）１〜５が、光ファイバ６１〜６Ｎをリング状に収容して光ファイバリング網を構成している。なお、１本の光ファイバは片方向の通信を実現するものである。そして、これ等ノード１〜５を集中管理制御するＮＭＳ（ネットワーク管理装置）１００が設けられている。
【００２６】
図２は本発明の実施例における光ファイバ、波長、パス及びノードの関係を説明するための図である。図２を参照すると、光ファイバ６１中には、例えば波長λ１，λ２の少くとも２つの波長光が収容されており、波長λ１の光は光ファイバ６１中のノード１からノード４までの区間、波長λ２の光はノード２からノード４までの区間を、それぞれ流れるものとする。
【００２７】
更に、波長λ１には、パスＡ〜Ｄが割当てられており、パスＡはノード１とノード２との区間のデータ通信に、パスＢはノード１とノード３との区間のデータ通信に、パスＣはノード２とノード４との区間のデータ通信に、パスＤはノード３とノード４との区間のデータ通信に、それぞれ使用されるものとする。
【００２８】
図２において、各ノードは複数の光ファイバを収容するが、ここでは１本の光ファイバ６１のみを示しているが、他の光ファイバについても、同様な構成をとることができることは明らかである。また、光ファイバ６１中を流れる光の波長も、３つ以上であっても良く、また波長中のパスの数も限定されるものではない。
【００２９】
図３は本発明の実施例におけるパスを流れるデータフォーマット例を示す図であり、当該データは可変長または固定長のパケットであり、パケット先頭には、パスを識別するためのパスラベルがヘッダ４１として付加されており、各ノードはこのパスラベルによりパスを識別することが可能である。なお、図３の４２はペイロード部である。ここで、このパスラベル自体は、インターネットで用いられるＩＰヘッダなどの汎用的なものでも、光リング網内部のみで定義されるローカルなものであっても良い。
【００３０】
図４は本発明の実施例に用いられるノードの機能ブロック図である。本例においては、図２に示したノード２の機能ブロックを示しており、このノード２は光ファイバ６１に流れる波長λ１及びλ２の２つの光信号について、アドドロップ及び中継を行うことができるようになっているものとする。ここで、再び図２を参照すると、ノード２は、光ファイバ６１上を流れる光信号の波長λ１及びλ２を信号伝送用に使用できる波長区間内に存在しており、波長λ１に対しては、パスＡ〜Ｄが予め割当てられている。
【００３１】
従って、このノード２は、光ファイバ６１からの光信号が入力されて波長λ１及びλ２を分波する分波器１１を有している。分波された波長λ１及びλ２の光信号は、λ１波長処理部１０−１及びλ２波長処理部１０−２へそれぞれ入力される。これ等波長処理部は同一構成であるので、図では簡単化のために、λ１波長処理部１０−１についてのみ、その構成を示している。
【００３２】
分波器１１により分波された波長λ１の光信号は電気変換部１３において電気信号に変換され、波長λ２に対応する電気信号と共に、パスラベル検索部１６へ入力される。
【００３３】
パスラベル検索部１６は入力された電気信号であるパケットデータ（図３参照）のパスラベルの情報から、自ノード宛てのパケットか他のノード宛てのパケットかを識別し、自ノード宛てのパケットの場合は、ローカルネットワーク処理部１７へ当該パケットを送出し、他ノード宛てのパケットの場合には、データ送信部１８へ送出する。
【００３４】
図５はこのパスラベル検索部１６の機能ブロック図である。図５を参照すると、パスラベル検索部１６は、入力パケットバッファ部１６１と、パケットバッファ部１６１に格納されているパケットのヘッダ４１（図３参照）を抽出して、パスラベルを用いて検索テーブル１６３を検索するラベル検索部１６２と、図６に示す様に、パスラベルの値と、宛先と、波長との対応関係を示す検索テーブル（対応表）１６３と、この検索結果に応じてパケットバッファ部１６１に格納されているパケットを、ローカルネットワーク処理部１７かデータ送信部１８へ出力するパケット転送部１６４とを有している。なお、検索テーブル１６３は、システム初期時やシステム変更時に、図１に示したＮＭＳ１００から設定されるものとする。
【００３５】
ローカルネットワーク処理部１７は、このノード２の配下のローカルネットワークを管理制御するものであり、パスラベル検索部１６から送出された自ノード宛てパケットをローカルネットワークへ導出し、またローカルネットワークから他ノード宛てパケットをデータ送信部１８へ送出する。
【００３６】
データ送信部１８はローカルネットワーク処理部１７からのパケットと、パスラベル検索部１６からのパケットとを入力として、その宛て先きに応じてλ１波長処理部１０−１かλ２波長処理部１０−２かのいずれかへ送信する。このデータ送信部１８の機能ブロックを図７に示している。データ送信部１８は、パスラベル検索部１６より受信したパケットのパスラベルを用いて検索テーブル１８２を検索するラベル検索部１８１と、図６と同じ内容を有する検索テーブル（対応表）１８２と、ローカルネットワーク処理部１７より受信したパケットの宛先情報（ローカルネットワーク側にて送信元から指定されている宛先ノード）を基に、検索テーブル１８２を用いてパスラベルを検索する宛先検索部１８３と、検索テーブル１８２と、宛先検索部１８３による検索結果であるパスラベルを有するヘッダを、受信パケットに付加するヘッダ付加部１８４と、ラベル検索部１８１及びヘッダ付加部１８４からのパケットを、λ１波長処理部１０−１かλ２波長処理部１０−２へ送出するパケット送出部１８５とを有している。
【００３７】
λ１波長処理部１０−１へ入力されたパケットは光変換部１４にて光信号に変換され、波長変換部１５で波長λ１の光信号となり、合波器１２で分波器１１の出力７１と共に合波され、光ファイバ６１へ波長多重化される。λ２波長処理部１０−２についても同じである。
【００３８】
図８を参照すると、パスラベル検索部１６の動作を示すフローチャートであり、λ１やλ２の波長処理部１０−１、１０−２からのパケットからヘッダ４１（図３参照）が抽出されて（ステップＳ１）、ラベル検索部１６２にてパスラベルの検索が行われる（ステップＳ２）。このとき、検索テーブル１６３がパスラベルの値に基づき検索され、パスラベル値が“ａ”ならば、自ノード宛てパケットと判断され（ステップＳ３）、パケット転送部１６４にてローカルネットワーク処理部１７へ送出される。同時に、ヘッダ部４１が削除されて、自ノード宛てパケットの終端がなされることになる（ステップＳ４）。ステップＳ３において、他ノード宛てパケットであると判断されると（パスラベル値が“ｂ”や“ｃ”の場合）、パケット中継処理となるために、データ送信部１８へこの中継パケットが供給される（ステップＳ５）。
【００３９】
図９はデータ送信部１８の動作を示すフローチャートである。図９を参照すると、パケットがパスラベル検索部１６より入力された場合（ステップＳ２１）、すなわちパケット中継処理の場合、波長λ１上のパスか波長λ２上のパスのいずれに、中継パケットを送出するか判断する必要がある。そこで、ラベル検索部１８１において、検索テーブル１８２をパケットのヘッダ４１のパスラベル値により検索し、“ｂ”であれば、波長λ１上のパスであり、“ｃ”であれば、波長λ２上のパスであることが判断される（ステップＳ２２）。従って、この判断結果に従って、パケット送出部１８５からλ１またはλ２波長処理部へ選択的に中継パケットが出力されることになる（ステップＳ２３）。
【００４０】
一方、ローカルネットワーク処理部１７より他ノード宛てのパケットが到来すると（ステップＳ２４）、これまた、送出すべきパスが波長λ１上のパスかλ２上のパスかを判断することが必要となるので、宛先検索部１８３にて検索テーブル１８２を、宛先ノード（ローカルネットワークより宛先ノード情報が付加されている）により検索が行われ（ステップＳ２５）、宛先がノード３であれば、波長λ１上のパス（図２のＢ）に対応するパスラベル値“ｂ”が検索され、パケットに、このパスラベル値“ｂ”が挿入されたヘッダ４１がヘッダ付加部１８４にて付加され（ステップＳ２６）、λ１波長処理部１０−１へ送出される（ステップＳ２３）。一方、宛先がノード４であれば、波長λ２上のパス（図２では特に図示せず）に対応するパスラベル値“ｃ”が検索され、ヘッダが付加されてλ２波長処理部１０−２へ送出されることになる。
【００４１】
なお、上記実施例においては、図３に示したパスラベルを挿入するヘッダ４１の削除、付加は、パスラベル検索部１６、データ転送部１８にてそれぞれ行うようにしているが、ローカルネットワーク処理部１７にて行っても良い。すなわち、ローカルネットワーク処理部１７は、パスラベル検索部１６から受信したパケットの先頭のヘッダ４１を削除して、配下のローカルネットワーク側へ送信する。また、ローカルネットワーク側からパケットを受信して、ローカルネットワークで使用される宛先識別子を基に、予め設けられているテーブルを検索して、光リング網内で使用するパスラベル値を取得し、このパスラベル値をパケットの先頭にヘッダ４１として付与し、データ送信部１８へ出力する。
【００４２】
図１０は本発明の効果を説明するための図であり、本発明を適用することにより、光ファイバ６１中の波長λ１はノード１とノード２との間の区間、ノード３とノード４との間の区間で使用することができ、また波長λ２はノード２とノード３との間の区間で使用することができることになり、更には、波長λ１の区間が、同一の光ファイバリング中の別のノード間でも設定することができ、同一波長の有効利用が図れるのである。
【００４３】
上述したノードの動作は、予めプログラムとしてＲＯＭ等の記録媒体に記録しておき、これをコンピュータにより読取って実行するようにすることができることは勿論である。
【００４４】
【発明の効果】
以上述べた如く、本発明による効果は、光ファイバ上に多重化された波長を効率的に利用できることである。その理由は、光ファイバリング網上の一つの波長を信号伝送用の複数のパスに共有して割当てるようにしたためである。
【図面の簡単な説明】
【図１】本発明が適用される光ネットワークシステムの概略図である。
【図２】本発明の実施例における光ファイバ上での波長とパスとの関係を示す図である。
【図３】図２のパスを流れるデータフォーマットである。
【図４】本発明の実施例におけるノードのブロック図である。
【図５】図４のパスラベル検索部１６の一例を示すブロック図である。
【図６】図５の検索テーブル１６３の例を示す図である。
【図７】図４のデータ送信部１８の一例を示すブロック図である。
【図８】図４のパスラベル検索部１６の動作を示すフロー図である。
【図９】図４のデータ送信部１８の動作を示すフロー図である。
【図１０】本発明の効果である波長の有効利用の例を示す図である。
【図１１】従来例の光ネットワークシステムの問題点を説明する図である。
【符号の説明】
１〜５　　　　　　　ノード
１０−１，１０−２　波長処理部
１１　　　　　　　　分波器
１２　　　　　　　　合波器
１３　　　　　　　　電気変換部
１４　　　　　　　　光変換部
１５　　　　　　　　波長変換部
１６　　　　　　　　パスラベル検索部
１７　　　　　　　　ローカルネットワーク処理部
１８　　　　　　　　データ送信部
４１　　　　　　　　ヘッダ
６１〜６Ｎ　　　　　光ファイバ
１００　　　　　　　ＮＭＳ
１６１　　　　　　　パケットバッファ部
１６２，１８１　　　ラベル検索部
１６３，１８２　　　検索テーブル
１６４　　　　　　　パケット転送部
１８３　　　　　　　宛先検索部
１８４　　　　　　　ヘッダ付加部
１８５　　　　　　　パケット送出部
【図１】
2004104543.tif 000003
【図２】
2004104543.tif 000004
【図３】
2004104543.tif 000005
【図４】
2004104543.tif 000006
【図５】
2004104543.tif 000007
【図６】
2004104543.tif 000008
【図７】
2004104543.tif 000009
【図８】
2004104543.tif 000010
【図９】
2004104543.tif 000011
【図１０】
2004104543.tif 000012
【図１１】
2004104543.tif 000013